(57)【要約】  【課題】  眼底検査のための装置の調整が簡単で、眼底全体にわたって鮮明な分光データを取得し、その画像から、眼底の様々な病変に対応でき、さらに、病変の検出誤りが少なくなるような、観察測定データの処理方法を含む眼底分光像撮影装置を提供することである。  【課題を解決するための手段】  本発明による眼底分光像撮影装置は、被検眼の眼底像を結像する第１の光学系２と、該第１の光学系２の眼底共役位置に配置されたスリット４と、前記第１の光学系２により結像した眼底像を、分光素子６で分光したスペクトルを結像する第２の光学系３と、該第２の光学系３で結像した眼底分光像の結像位置に配置した２次元撮像素子７と、前記の各要素の1つ以上を、スリット開口の長手方向と直交する方向に走査して前記眼底像を取得する手段とを備えている。  【選択図】  図１
2005296400.tif 000002
【特許請求の範囲】
【請求項１】
被検眼の眼底像を結像する手段としての第１の光学系と、該第１の光学系の眼底共役位置に配置されたスリットと、前記第１の光学系により結像した眼底像光が前記スリットを通過し、その後、分光素子により分光したスペクトルを結像する手段としての第２の光学系と、該第２の光学系で結像した眼底分光像の結像位置に配置した２次元撮像素子と、前記の各要素の1つ以上を、所定の走査手段で、前記スリットの長手方向と直交する方向に走査して前記眼底像を取得する手段とを備えたことを特徴とする眼底分光像撮像装置。
【請求項２】
前記走査手段として、第１の光学系の瞳孔共役面付近に回転ミラーを設けたことを特徴とする請求項１に記載の眼底分光像撮像装置。
【請求項３】
前記走査手段は、前記スリットと第２の光学系と前記２次元撮像素子とを同時に走査するように構成したことを特徴とする請求項１に記載の眼底分光像撮像装置。
【請求項４】
前記走査手段は、前記第１の光学系とスリットと第２の光学系と２次元撮像素子とを同時に被検眼の瞳孔位置付近を中心として回転走査するように構成したことを特徴とする請求項１に記載の眼底分光像撮像装置。
【請求項５】
前記第１の光学系により結像する眼底像を、前記スリット位置以外の位置に再結像する手段として、第３の光学系を備えたことを特徴とする請求項１から４のいずれか１つに記載の眼底分光像撮像装置。
【請求項６】
前記分光素子は、プリズムまたは回折格子、あるいは両者の組み合わせであることを特徴とする請求項１から５のいずれか１つに記載の眼底分光像撮像装置。
【請求項７】
前記２次元撮像素子の分光像を１フレームとして、前記走査と同期して、走査ステップ毎に、前記分光像のフレームを蓄積する手段を備えたことを特徴とする請求項１から６のいずれか１つに記載の眼底分光像撮像装置。
【請求項８】
予め撮影するべき眼底の範囲を設定する手段と、撮影開始を指示する手段とを備えたことを特徴とする請求項７に記載の眼底分光像撮像装置。
【請求項９】
白色板または白色に塗装した擬似眼を被検眼の眼底に相当する位置に置いて、分光スペクトルの基準値を校正することを特徴とする請求項１から８のいずれか１つに記載の眼底分光像撮像装置。
【請求項１０】
前記分光像のフレームを蓄積した分光スペクトルの吸光度データを光のスペクトル多次元空間にプロットする手段と、前記複数の位置から得られたスペクトル多次元空間のデータを多変量解析することにより、少なくとも第1、第2、第3主成分の固有ベクトルを求める手段と、前記各位置のデータを前記各固有ベクトルの方向に射影し、その大きさを2次元表示画面にグレースケールまたは大きさに対応する色彩で表示する手段とを備えたことを特徴とする請求項７から９のいずれか１つに記載の眼底分光像撮像装置。
【発明の詳細な説明】
【技術分野】
【０００１】
本発明は、眼底に光を照射し、その反射光のスペクトル分析を行うことにより、眼底の血流状態などを測定する装置に関する。
【背景技術】
【０００２】
従来から、眼底の網膜の状態を検査する方法として、眼底カメラによる写真撮影を行い、その写真から、病状を判断していた。（例えば特許文献１を参照）写真撮影時には、瞳孔を開くための薬物投与を行うこともあった。特に、網膜の血流状態を検査するためには、蛍光眼底撮影という方法が採用されている。眼底の状態を連続的に観察するには、瞳孔を開いたままで、ビデオカメラで撮影し、モニターに映し出す方法が一般的である。しかし、この蛍光眼底撮影では、薬物投与により、患者に思いがけない障害をきたすおそれがあり、必ずしも最適な検査方法ではない。
【０００３】
一方、眼底ではないが、水晶体の光学的特性を検査して、白内障などの診断を可能にする方法が開示されている。（例えば特許文献２を参照）白内障では、水晶体が濁って光の透過率が低下しているが、透過率は、水晶体の位置によっても異なるし、光の波長によっても異なる。このような水晶体の検査をするために、水晶体とレンズを介してほぼ共役の位置にスリットを置き、そのスリットを通ったイメージを分光器に通して分光イメージを得るとともに、そのスリットおよび分光器を平面上で走査することによって、水晶体全面の分光データを得る構造の装置がある。
【０００４】
眼底の検査では、網膜上の血管や血流の状態を観察することが重要であるが、従来は、上に述べたように、写真撮影をして、その映像と色彩から判断していた。このような方法では、網膜上の血管に酸素を供給できるような血流があるかどうか明確ではないために、誤診することもあった。
【０００５】
また、上記のようなスリットを通ったイメージを分光器に通して分光イメージを得るとともに、そのスリットおよび分光器を走査して、分光データを得るような装置を使って測定する場合には、眼底は球状をしているので、上に述べたような平面走査では、周辺で画像がぼけてしまうという問題がある。
【特許文献１】特開２００１−３５３１２８号公報
【特許文献２】特開２００２−２２４０４１号公報
【発明の開示】
【発明が解決しようとする課題】
【０００６】
本発明の目的は、上記のような問題を解決し、眼底検査のための装置の調整が簡単で、眼底全体にわたって鮮明な分光データを取得し、その画像から、眼底の様々な病変に対応でき、さらに、病変の検出誤りが少なくなるような、観察測定データの処理方法を含む眼底分光像撮影装置を提供することである。
【課題を解決するための手段】
【０００７】
本発明による眼底分光像撮影装置は、請求項１に示すように、被検眼の眼底像を結像する手段としての第１の光学系と、該第１の光学系の眼底共役位置に配置されたスリットと、前記第１の光学系により結像した眼底像光が前記スリットを通過し、その後、分光素子により分光したスペクトルを結像する手段としての第２の光学系と、該第２の光学系で結像した眼底分光像の結像位置に配置した２次元撮像素子と、前記の各要素の1つ以上を、所定の走査手段で、スリットの長手方向と直交する方向に走査して前記眼底像を取得する手段とを備えたことを特徴としている。
【０００８】
このような構成にすることにより、第１の光学系で、スリットの位置と共役な眼底の位置の像を、スリットの位置に眼底像として結像する。眼底からの光は常に、スリットの位置に眼底像を鮮明に結像させるので、1つ以上の光学系を走査することにより、各位置の眼底像がスリットを通過できるようになる。したがって、眼底全体にわたって鮮明な分光データを取得することができ、病変の検出誤りを少なくできる効果がある。
【０００９】
請求項２による眼底分光像撮影装置によれば、第１の光学系の瞳共役面付近に回転ミラーを設けたので、実質的に、瞳孔の位置から眼球内を回転ミラーで走査するのと同等の効果を得ることができる。したがって、簡単な装置で、眼底全体にわたって鮮明な分光データを取得することができるという効果がある。
【００１０】
請求項３による眼底分光像撮影装置によれば、スリットと第２の光学系と２次元撮像素子とを同時に走査するような手段を設けたので、眼底像の結像位置に沿ってスリットと第２の光学系と２次元撮像素子とを同時に走査できる。したがって、眼底全体にわたって鮮明な分光データを取得することができるという効果がある。
【００１１】
請求項４による眼底分光像撮影装置によれば、第１の光学系とスリットと第２の光学系と２次元撮像素子とを同時に回転走査するような手段を設けたので、被検眼の瞳孔位置を中心として、第１の光学系とスリットと第２の光学系の光軸を回転走査することができ、球面である眼底の像を歪が少ない光軸上での眼底像として、鮮明に結像させることができる。
【００１２】
請求項５による眼底分光像撮影装置によれば、第１の光学系により結像した眼底像を、前記スリット位置以外の位置に再結像する第３の光学系を備えている。すなわち、スリットに入るまえの光路にハーフミラーまたはダイクロイックミラー（例えば可視光透過、赤外光反射）を設置し、第３の光学系で再結像した眼底像を直接観察したり、ビデオカメラを通してモニターで見たりすることにより、被検眼に対する位置合わせとピント調整を確実に行うことができる。こうすることで、調整が簡単であり、眼底全体にわたって鮮明な分光データを取得することができる。
【００１３】
請求項６による眼底分光像撮影装置によれば、分光素子は、プリズムまたは回折格子、あるいは両者の組み合わせである。プリズムが最も簡単ではあるが、分解能を高めようとすると回折格子がよい。特に、第２の光学系をコンパクトにするには、透過型の回折格子が適当である。このようにして、眼底像の分光を簡単に行うことができ、また、光学系を走査することにより、眼底全体にわたって鮮明な分光データを取得することができる。
【００１４】
請求項７による眼底分光像撮影装置によれば、２次元撮像素子の分光像を１フレームとして、回転走査と同期して、走査ステップ毎に、分光像のフレームを蓄積する手段を備えたので、Ｎステップの走査でＮフレームの分光像が得られ、全体で、走査した領域のなかでの分光スペクトルが得られる。したがって、分光スペクトルから、病変に特有な波長の光に注目して眼底の領域を観測したり、多変量分析などの解析手法で分析することもできるので、病変の検出誤りが少なくできる効果がある。
【００１５】
請求項８による眼底分光像撮影装置によれば、予め撮影するべき眼底の範囲を設定する手段と、撮影開始を指示する手段とを備えているので、眼底を直接観測しながら分光撮影する範囲を定めて、撮影開始を指示すると、所望の領域の眼底分光撮影を簡単に行うことができる。この分光像の解析結果はリアルタイムで得られるので、従来の写真撮影に比べて、病変の検出が確実にできるという効果がある。
【００１６】
請求項９による眼底分光像撮影装置によれば、白色板または白色に塗装した擬似眼を被検眼の眼底に相当する位置に置いて、分光スペクトルの基準値を校正するようにしたので、光源の輝度や発光スペクトルの変動に対しても簡単に補正ができ、より正確なデータを取得できる。これにより、分光像の解析結果の信頼度が高まり、病変の検出が確実にできるという効果がある。
【００１７】
請求項10による眼底分光像撮影装置によれば、分光像のフレームを蓄積した分光スペクトルの吸光度データを光のスペクトル多次元空間にプロットする手段と、前記複数の位置から得られたスペクトル多次元空間のデータを多変量解析することにより、少なくとも第1、第2、第3主成分の固有ベクトルを求める手段と、前記各位置のデータを前記各固有ベクトルの方向に射影し、その大きさを2次元表示画面にグレースケールまたは大きさに対応する色彩で表示する手段とを備えている。このような手段により、例えば、眼底の毛細血管のなかのヘモグロビンに結合している酸素の量を知ることができ、様々な病変の検出が確実にできるという効果がある。
【発明の効果】
【００１８】
本発明によれば、上に述べたように、眼底検査のための装置の調整が簡単で、眼底全体にわたって鮮明な分光データを取得し、その画像から、眼底の様々な病変に対応でき、さらに、病変の検出誤りが少なくなるような効果がある。
【発明を実施するための最良の形態】
【００１９】
以下、本発明の好ましい実施形態について説明する。図１に、本発明による眼底分光像撮影装置の概略図を示す。図１において、１は被検眼の眼底、２は第1の光学系、３は第２の光学系、４はスリット、５は第３の光学系、６は分光素子、７は２次元撮像素子である。
【００２０】
第1の光学系２は、対物レンズ21、穴あきミラー22、絞り23、照明光学系レンズ24、リレーレンズ25、フォーカスレンズ26、結像レンズ27などの光学部品で構成されている。眼底は、光源（図示しない）からの光が、照明光学系レンズ24を通り、穴あきミラー22で反射されて対物レンズ21を経て照明される。
【００２１】
眼底からの反射光は、対物レンズ21と穴あきミラー22の穴を通り、瞳と共役の位置に置かれた絞り23を通り、リレーレンズ25、フォーカスレンズ26、結像レンズ27で、眼底像が結像される。
【００２２】
第３の光学系５は、ミラー13とカメラ14とを含んでいる。ミラー13はハーフミラーまたはダイクロイックミラー（例えば可視光反射、赤外光透過）である。
【００２３】
ハーフミラーの場合には、眼球からの光の一部を90度曲げて反射し、カメラ14で眼底の映像を撮影して、直接、モニター15で観察することができる。また、眼球からの光の他の部分はハーフミラーを透過し、スリット４を通り、分光素子６で分光されて２次元撮像素子７に結像し、その分光像を蓄積する手段８に蓄積する。蓄積する手段８は、一般的に使用されている半導体メモリ、磁気記録装置、光学的なメモリなど何れでもよい。ミラーがダイクロイックミラー（例えば可視光反射、赤外光透過）の場合には、可視光が90度屈折して反射され、前記のように、モニター15で映像を観察することができる。また、赤外光は透過し、その分光像を蓄積する。
【００２４】
９は、前記の第1の光学系、第２の光学系、スリット、分光素子、２次元撮像素子などを走査する装置であり、制御装置10によって、蓄積手段８とともに連動して制御される。また、11は蓄積した分光像を解析する装置であり、その結果がモニター12に表示される。
【００２５】
スリットは線状の開口になっており、２次元撮像素子の１フレームには、スリットに対応する眼底のなかの１ラインの像がスリットと直交する方向に分光されて結像する。すなわち、スリットの方向が２次元撮像素子のＸ軸方向だとすると、Ｘ軸方向は眼底のなかの１ラインに対応し、Ｙ軸方向には、該１ライン上の各点での入射光を分光したスペクトルでの光強度が対応する。
【００２６】
眼底のなかのラインの像を、スリットと直交する方向に順次走査して、２次元撮像素子で撮像すると、Ｎステップ走査すれば、Ｎフレームの２次元分光像を得ることができる。
【００２７】
次に上記の走査の手段について説明する。図２に、第1の実施例として、ミラーを使って走査する方法についての概略を示す。図１に対応して、同じ機能、構成の部分には、同じ符号を付している。図２において、20が走査を行うためのミラーである。ミラー20は、第１の光学系の瞳孔共役面付近に設置されており、第１の光学系の光軸を通り、それと直交する線を軸として、回転するようになっている。第１の光学系の光軸は、ミラー20によりほぼ直角に曲げられており、その先に、スリット４、第２の光学系、２次元撮像素子などが配置されている。
【００２８】
ミラー20は、第１の光学系の瞳孔共役面付近に設置されているので、ミラー20の回転走査により、実質的に、瞳孔の位置から眼球内を回転ミラーで走査するのと同等の効果を得ることができる。これにより、曲面である眼底の画像を鮮明に結像させて、鮮明な眼底分光像を取得することができる。
【００２９】
図３に、走査手段に関する第２の実施例を示す。図３に示すように、この走査手段は、スリット４と第２の光学系３と２次元撮像素子７とを一体としたもの30とみなして、一体的に走査する。すなわち、眼底像は、スリット4の位置に結像するので、スリット４と第２の光学系３と２次元撮像素子７とを一体として走査すれば、鮮明な眼底像を得ることができる。
【００３０】
走査手段に関する第３の実施例を図４に示す。第３の実施例では、第１の光学系とスリット４と第２の光学系３と２次元撮像素子７とを一体とみなしたもの40を、瞳孔の位置を中心として回転走査するものを示す。また、第３の光学系５は、前記の一体とみなしたもの40のなかに含まれるようにしてもよい。この実施例では、第１の光学系とスリット４と第２の光学系３と２次元撮像素子７とが一体となって瞳孔の位置を軸として回転走査するので、眼底像は２次元撮像素子７上に、常に鮮明に結像する。
【００３１】
これらの実施例における走査は、それぞれに応じて、走査装置９により、制御装置10で実施され、同時に蓄積装置８に、分光像が蓄積される。
【００３２】
第２の光学系３のなかの分光素子６は、基本的にはプリズムであるが、分光の分解能を高めるために、透過型の回折格子を使用する。または、プリズムと回折格子の組み合わせでもよい。
【００３３】
次に、蓄積装置８に蓄積された分光像の処理について説明する。まず、分光感度を正規化するために、白色板または白色に塗装した擬似眼を被検眼の眼底に相当する位置に置いて、分光スペクトルの基準値を校正する。このようにして得られた分光像をもとに解析を行う。
【００３４】
検眼に使用する光は可視光でもよいが、縮瞳してしまうので、一般的には瞳孔を開くための薬物投与を行う。しかし、被験者に苦痛を与えるため、短時間の検査しかできない。そこで、目には感じない赤外線領域の光を使用する。赤外線領域の光の波長は７００ｎｍから１０００ｎｍである。
【００３５】
分光像解析の１実施例として、７２０ｎｍの波長での分光像を画像化する。具体的な手法としては、蓄積装置８に蓄積された第1フレームから第Ｎフレームまでの分光像の中から、７２０ｎｍの波長に相当する部分のデータを抽出して、順次、1枚の画面に並べてゆくことにより、７２０ｎｍの波長で観測した眼底像を得ることができる。このような手順で得られた擬似眼底像の1実施例を図５に示す。７２０ｎｍの波長で観測すれば、図５において、明るい筋状に映っているのが擬似血管であり、このように擬似眼底の血管を鮮明に観測できる。
【００３６】
特定の波長の光で観測するときには、一般的には、フィルターを使うことが多い。しかし、フィルターを使うにはその装着スペースを必要とするだけでなく、また違った波長で観測しようとすると、フィルターの交換をする必要があり、余分な手間がかかる。この装置では、７００ｎｍから１０００ｎｍまでの全ての波長でのデータが蓄積されているので、解析装置の操作だけで、必要とする波長での観測結果を即座に得ることができる。
【００３７】
分光像解析の第２の実施例として、波長空間における多変量解析を行う。具体的な方法としては、各位置で得られたスペクトルデータをスペクトル多次元空間にプロットする。例えば、７００ｎｍから８００ｎｍの間に血中の酸化ヘモグロビンによる特異な吸収帯があるとすると、波長が７００ｎｍから８００ｎｍまでのデータを取得し、これを最小分解能の５ｎｍで分割して、それぞれの波長での吸光度（任意単位）を求め、分割した２０次元の空間に、１つの位置あたり１点としてプロットする。
【００３８】
例えば、試料の大きさが３ｍｍ平方で、検出する微小領域が０．０３ｍｍ平方とすれば、１０、０００個の微小領域からのスペクトルデータが得られる。例えば、S/N比の向上を目的として、４つの微小領域のデータを平均して１つのデータとすると、最終的に得られるデータは２，５００個である。この２，５００個のスペクトルデータを上記の２０次元のスペクトル空間にプロットする。
【００３９】
次に、例えば主成分分析法などの多変量解析の手法を用いて、２０次元のスペクトル空間の中で、第１の主成分として、２，５００個の点の分散が最大になる方向を求め、その方向を第１主成分の固有ベクトルとする。さらに、第１の固有ベクトルに直交する空間に各プロット点を射影して、第２の主成分を求め、第２主成分の固有ベクトルとする。さらに、上記と同様な手順で第３,・・ｎの主成分と第３,・・n主成分の固有ベクトルを求める。
【００４０】
このようにして、第１主成分の固有ベクトル、第２主成分の固有ベクトル、第３主成分の固有ベクトルが決まり、その各固有ベクトルに前記のプロットした２，５００個のデータを射影する。すなわち、各固有ベクトル方向の成分を求める。この成分の大きさをスコアと呼ぶが、固有ベクトル方向毎のスコアを試料の各位置に、グレースケールまたはスコアの値に応じた色彩でプロットして２次元表示を行う。
【００４１】
一般に、第１主成分のスコアは平均値になるために、特異な現象は出難いが、第２主成分や第３主成分のスコアに特異な現象が現れることが多い。この例では、血中の還元ヘモグロビンが多い部分のスコア値が高くなるというような現象が現れる。このような特異点を検出することにより、病変やその予兆を発見することができる。
【００４２】
以上、説明したように、本発明による眼底分光像撮影装置では、眼底全体にわたって鮮明な分光データを取得し、その画像から、眼底の様々な病変に対応でき、さらに、病変の検出誤りを少なくできるという効果が得られる。
【００４３】
なお、本発明は、上記の実施例に限定されるものではなく、本発明の趣旨と思想に基づく、当業者による一部の変更や置き換えは、本発明の請求の範囲に属するものである。
【図面の簡単な説明】
【００４４】
【図１】本発明による眼底分光像撮影装置の概略図。
【図２】本発明による眼底分光像撮影装置における走査方法に関する第１の実施例を説明する概略図。
【図３】本発明による眼底分光像撮影装置における走査方法に関する第２の実施例を説明する概略図。
【図４】本発明による眼底分光像撮影装置における回転走査方法に関する第３の実施例を説明する概略図。
【図５】本発明による眼底分光像撮影装置で撮影して取得した、擬似眼底のスペクトル画像
【符号の説明】
【００４５】
１  眼底
２  第１の光学系
３  第２の光学系
４  スリット
５  第３の光学系
６  分光素子
７  ２次元撮像素子
８  蓄積手段
９  走査装置
10  制御装置
11  解析装置
12  モニター
13  ミラー
14  カメラ
15  モニター
20  ミラー
21  対物レンズ
22  穴あきミラー
23  絞り
24  照明光学系レンズ
25  リレーレンズ
26  フォーカスレンズ
27  結像レンズ
【図１】
2005296400.tif 000003
【図２】
2005296400.tif 000004
【図３】
2005296400.tif 000005
【図４】
2005296400.tif 000006
【図５】
2005296400.tif 000007